(57)【要約】      （修正有）【課題】３Ｄ表示タイプの液晶表示装置にあたり、２Ｄ表示タイプの液晶表示ユニットと表示変換透視盤との互いの表示基準合せを手早く簡単に精度良くなし得るとともに、両者を容易に分離できるようにして、液晶表示ユニット自体を２Ｄ専用ディスプレイに復旧再使用し得るようにすること。【解決手段】液晶表示装置において、２Ｄ表示タイプの液晶表示ユニット１１と、平面的画像を立体的画像に表示変換し得る表示変換スクリーン１７を形成して液晶表示ユニット１１の画像表示面に対して表示基準合せ条件で整合固定されるバリア１３と、を備え、バリア１３と液晶表示ユニット１１との間には、透明で剥離可能な貼付剤１８を設け、完全に貼り付けられる前に、バリア１３と液晶表示ユニットと１１を相対的に移動させて、表示基準合せ後に、貼付剤１８によって、固定保持された液晶表示ユニット１１を備えたことを特徴とする遊技用の液晶表示装置。【選択図】図４
2016118673.tif 000002
【特許請求の範囲】
【請求項１】
電子的表示制御基板で表示制御されて画像表示面に前記図柄を表示停止し得る２Ｄ表示タイプの液晶表示ユニットと、平面的画像を立体的画像に表示変換し得る表示変換スクリーンを形成して前記液晶表示ユニットの画像表示面に対して表示基準合せ条件で整合固定される表示変換透視盤と、を備えた液晶表示装置であって、
前記表示変換透視盤と前記液晶表示ユニットとの間には、透明で剥離可能な貼付剤を設け、前記表示変換透視盤を前記液晶表示ユニットの表面に置き、前記貼付剤によって完全に貼り付けられる前に、前記表示変換透視盤と前記液晶表示ユニットとを相対的に移動させて、前記表示基準合せを行い、この表示基準合せ後に前記表示変換透視盤と前記液晶表示ユニットとを前記貼付剤によって、固定保持された３Ｄ表示タイプの液晶表示ユニットを備えたことを特徴とする液晶表示装置。
【請求項２】
前記貼付剤による貼付状態は、前記表示変換透視盤と前記液晶表示ユニットとの間に対し、薄くかつ固い板材からなる剥離装置を前記表示変換透視盤の全周に渡って差し込みつつ解除することで、機械的刺激によって前記表示変換透視盤が前記液晶表示ユニットから剥離されることを特徴とする請求項１に記載の液晶表示装置。
【発明の詳細な説明】
【技術分野】
【０００１】
本発明は、３Ｄ液晶表示装置に関する。
【背景技術】
【０００２】
例えば、遊技媒体としてパチンコ球を利用するパチンコ機や、コインを利用するスロットマシンに代表される遊技機では、遊技内容の展開に応じて、遊技表示情報を表示する手段の一つとして、３Ｄ（立体）表示タイプの液晶表示装置が用いられつつある。
３Ｄ液晶表示装置によれば、遊技者の気運を高める背景画像に加え、強い興趣が持たれる特別遊技（大当り遊技ともいう）の成立に関与する遊技表示情報としての図柄組合せゲームを展開・表示するために好適化されている。
【先行技術文献】
【特許文献】
【０００３】
【特許文献１】特許第４７５６１０８号
【特許文献２】特許第５０６９８０８号
【発明の概要】
【発明が解決しようとする課題】
【０００４】
３Ｄ液晶表示装置には、３Ｄ専用の液晶表示ユニットを備えたもの、または２Ｄ表示タイプの液晶表示ユニットにバリアとも呼ばれる表示変換透視盤（２Ｄから３Ｄに表示を変換するもの）を組み合わせたものが用いられる。前者の構成とする場合には、専用の装置を必要とするため、非常に高価なものとなってしまう。
一方、後者の構成とする場合には、前者の構成よりも低いコストで済み、表示変換透視盤を取り外すことにより、２Ｄ表示タイプの液晶表示ユニットを再使用できるので、採用されることが多い（例えば、特許文献１を参照）。
但し、この場合には、２Ｄ表示タイプの液晶表示ユニットと表示変換透視盤との位置を極めて精密に合わせる必要があり（この位置を「表示基準合せ」と言う）、精密な位置の調整が絶対的に重要で不可欠である。適正な専用の整合機器（例えば、特許文献２を参照）を利用した場合でも、精確な表示基準合せは、依然として煩雑で手間・熟練を要する作業であった。
【０００５】
本発明は、上記した事情に鑑みてなされたものであり、その目的は、２Ｄ表示タイプの液晶表示ユニットと、バリアとの互いの表示基準合せを手早く簡単に精度良くなし得るとともに、両者を簡単かつ楽に分離できるようにして、液晶表示ユニット自体を、正規・純正の２Ｄ専用ディスプレイとして復旧再使用し得るようにしたものである。
【課題を解決するための手段】
【０００６】
上記目的を達成するための発明に係る液晶表示装置は、
電子的表示制御基板で表示制御されて画像表示面に前記図柄を表示停止し得る２Ｄ表示タイプの液晶表示ユニットと、平面的画像を立体的画像に表示変換し得る表示変換スクリーンを形成して前記液晶表示ユニットの画像表示面に対して表示基準合せ条件で整合固定される表示変換透視盤と、を備え、
前記表示変換透視盤と前記液晶表示ユニットとの間には、透明で剥離可能な貼付剤を設け、前記表示変換透視盤を前記液晶表示ユニットの表面に置き、前記貼付剤によって完全に貼り付けられる前に、前記表示変換透視盤と前記液晶表示ユニットとを相対的に移動させて、前記表示基準合せを行い、この表示基準合せ後に前記表示変換透視盤と前記液晶表示ユニットとを前記貼付剤によって、固定保持された３Ｄ表示タイプの液晶表示ユニットを備えたことを特徴とする。
【０００７】
本発明において、「表示変換透視盤」とは、２Ｄ表示タイプの画像表示面の前面において、適正な表示基準合せ（表示マーク合せ）位置に置くことで、３Ｄ表示を可能とする透視盤のことを意味する。そのような表示変換透視盤としては、パララックスバリア方式によって立体視を行えるようにするパララックスバリア（単に、バリアとも言う）や、レンチキュラスクリーン方式によって立体視を行えるようにするレンチキュラレンズなどが含まれる。なお、表示変換透視盤の表示変換スクリーンは、透視盤の後面側（液晶表示ユニットに近い面側）又は前面側（液晶表示ユニットから遠い面側）のいずれに設けても良い。
貼付剤とは、表示変換透視盤と液晶表示ユニットとの間に設けられて、両者を表示基準合せした状態に保持できると共に、所定の条件によって表示変換透視盤を液晶表示ユニットから剥離できるものを意味する。そのような貼付剤としては、例えばシリコン系、ナイロン系、ビニール系のものを使用できる。また貼付剤は、貼り付け操作後の経過時間によって硬化するもの、所定の条件（例えば、紫外線、適当な温度の熱など）によって硬化するものなどを用いることができる。
【０００８】
剥離の際の所定条件としては、例えば高温処理、低温処理、所定の剥離剤、機械的刺激などが挙げられる。貼付剤によって形成される層の厚さは、約100μｍ〜500μｍ程度であり、透明で表示変換透視盤に写される映像には影響を与えない。貼付剤としては、糊状のもの、フィルム状のものを用いることができる。フィルム状の場合には、取り扱い性が良好となるので好ましい。
本発明において、前記貼付剤による貼付状態は、前記表示変換透視盤と前記液晶表示ユニットとの間に対し、薄くかつ固い板材からなる剥離装置を前記表示変換透視盤の全周に渡って差し込みつつ解除することで、機械的刺激によって前記表示変換透視盤が前記液晶表示ユニットから剥離されることが好ましい。
【発明の効果】
【０００９】
本発明によれば、２Ｄ表示タイプの液晶表示ユニットを主体として３Ｄ用の表示変換スクリーンを持つ表示変換透視盤を重ね合せて構成される３Ｄ表示タイプの液晶表示ユニットを備えた液晶表示装置において、液晶表示ユニットに対して、表示変換透視盤を手早く簡単かつ精密・精確に表示基準合せした条件で組付けて、表示誤差が少ない適正かつ良好な３Ｄ表示タイプの液晶表示ユニットを構成できる。これにより、３Ｄ表示タイプの液晶表示装置を効率的に量産し、遊技機の生産性の向上を図ることができる。
また、剥離装置を用いることによって、表示変換透視盤を手作業にて手早く簡単に液晶表示ユニットから取外すことができるので、損傷の無い２Ｄ表示タイプの液晶表示ユニットを有効に復旧再利用できる。このため、予め相当数単位で造り留めしたとしても、３Ｄ表示タイプの液晶表示ユニットを簡単な手作業で表示変換透視盤を分離して、２Ｄ表示タイプの液晶表示ユニットに戻すことができる。
【図面の簡単な説明】
【００１０】
【図１】本発明の一実施例における液晶表示装置の実施態様を略示する遊技盤の正面図である。
【図２】同上遊技盤の背面図である。
【図３】液晶表示装置の主要構成を分解状態で略示する斜視図である。
【図４】３Ｄ表示タイプの液晶表示ユニットの組立工程手順を段階的に例示する説明図である。（Ａ）は、液晶表示ユニットの上面側に組付用治具を載せ、裏面側に貼付剤を設けたバリアを組付用治具の開口に嵌め込む前の状態を、（Ｂ）は、バリアを液晶表示ユニットの上面に載せた後、所定の表示基準合せを行った状態を、（Ｃ）は、組付用治具を液晶表示ユニットから取り外した状態を、それぞれ示す側断面図である。なお、図示の都合上、貼付剤の厚みは、実際以上に厚く示している。
【図５】液晶表示ユニットの上面に貼付剤を介してバリアを固定したときの様子を示す側断面図である。
【図６】液晶表示ユニットの上面に固定されたバリアを取り外すときの様子を示す斜視図である。
【図７】バリアを液晶表示ユニットから取り外すときの手順を段階的に例示する説明図である。（Ａ）は、バリアと液晶表示ユニットとの間に剥離装置を挿入し、機械的刺激によって、貼付剤による固定状態を解離させようとする状態を、（Ｂ）は、剥離装置によって、バリアと液晶表示ユニットとの間に隙間を形成したときの様子を、それぞれ示す側断面図である。
【発明を実施するための形態】
【００１１】
次に、本発明の実施形態について、図表を参照しつつ説明するが、本発明の技術的範囲は、これらの実施形態によって限定されるものではなく、発明の要旨を変更することなく様々な形態で実施することができる。また、本発明の技術的範囲は、均等の範囲にまで及ぶ。
以下、本発明に係る液晶表示装置について、好適な実施例を挙げて添付図面を参照しながら詳述する。
本実施例の液晶表示装置１０は、図１に示すように遊技機の代表例の一つであるパチンコ機１の遊技盤２の遊技領域３内の中央に設置されている。この液晶表示装置１０は、スタート信号入力に基づいて各種の図柄（数字、アルファベット、各種キャラクタ、果物）を順次表示し得る図柄組合せ表示装置の例として示す。スタート信号入力は、遊技盤２に設けられた所定の始動入賞口４に遊技球が入賞し、所定のスイッチで検出される毎に、その検出信号に基づいて、図示しない制御基板側から発信される図柄変動信号を意味している。本実施例では、パララックスバリア方式によって行われる３Ｄ表示に従った構成にて説明する。
【００１２】
液晶表示装置１０の基本的な構成としては、図３に示すように、従来より使用されている横長方形状の２Ｄ表示タイプの液晶表示ユニット１１と、液晶表示ユニット１１の前面側（画像を表示する面側）に表示変換透視盤として表示基準合せの条件で整合保持される横長方形状のバリア１３とが含まれる。後枠ケース１２は、予めパチンコ機１側に組み付けられており、液晶表示ユニット１１とバリア１３とが整合して組み付けられた状態で、後枠ケース１２の開口１２Ｂに組み付けられる。
【００１３】
後枠ケース１２は、透明な硬質の合成樹脂材（例えば、ポリカーボネートなど）により、方形枠状に形成されており、方形状に形成された開口１２Ｂの前面側から液晶表示ユニット１１を着脱可能に収容保護する。後枠ケース１２の上下枠縁には、組立て用のビスをねじ込み可能な組付孔１２Ａが配置成形されている。また、開口１２Ｂの内側において、左右両側縁には、上下に一対のネジ孔１４Ａが設けられている。このネジ孔１４Ａは、液晶表示ユニット１１に設けられた組付用突部１４の位置に整合されており、組付用突部１４に設けられた孔部に合わせてネジ止めされることで、液晶表示ユニット１１と後枠ケース１２とが組み付けられる。
【００１４】
液晶表示ユニット１１の表面側には画像表示面１１Ａが設けられており、図示しない表示制御基板からの所定の表示信号に基づき、背景動画とは別に各種複数の図柄（数字、アルファベット、キャラクタ、果物等）が変動表示可能とされている。画像表示面１１Ａの中央部には、表示基準マーク（例えば、十字形）が表示可能とされており、この表示基準マークを利用して、バリア１３との位置決めである表示基準合せが行われる（後に詳述する）。画像表示面１１Ａは、方形状の液晶表示ユニット１１の前面に設けられている。液晶表示ユニット１１の後面側は、金属製の背板（図示せず）で強化保護されていると共に、表示制御基板（図示せず）が通電接続配置されて、画像表示面１１Ａに表示される背景画像、動画各種の図柄などの表示を制御している。
【００１５】
表示変換透視盤としてのバリア１３は、長方形状の板ガラスを主体として構成され、その裏面（すなわち画像表示面１１Ａと対向する面側）において、外周縁１０ｍｍ〜１５ｍｍ程度を除いた方形面域に渡って、３Ｄ表示変換用の表示変換スクリーン１７が設けられている。表示変換スクリーン１７を形成する方法としては、板ガラスの裏面に直接に印刷加工する方法、印刷スクリーンを裏面に貼り付ける方法などがある。
本発明は、表示変換スクリーンの形成方法には拘わらずに実施できる。また、本発明において、表示変換スクリーンは、表示変換透視盤の表側または裏側のいずれの面に設けても良い。
バリア１３の裏面側（画像表示面１１Ａに対向する面側）には、透明で剥離可能な貼付剤１８が設けられている。貼付剤１８は、バリア１３と液晶表示ユニット１１との間に位置しており、両者を表示基準合せした状態に保持すると共に、所定の機械的刺激によって、バリア１３を液晶表示ユニット１１から剥離することができる。
【００１６】
次に、上記のように構成された本実施例の液晶表示装置１０の組立手順について、図４を参照しつつ説明する。
まず、表示用作業台上において、後枠ケースを模した組付用ケース１１２の所定の位置に液晶表示ユニット１１を嵌め込み、液晶表示ユニット１１の表面（図では上面）の画像表示面の上側にして、位置決め保持具１００を被せ付ける。位置決め保持具１００の上面側には、バリア１３とほぼ同形状の開口１００Ａが設けられており、バリア１３を開口１００Ａに軽く嵌め込んだ状態で、バリア１３の位置合わせが行われる（図４（Ａ））。
貼付剤１８は、バリア１３とほぼ同形のシート状のものが使用される。この貼付剤１８は、約200μm程度の厚みと所定の弾性を備えており、所定波長の紫外線を与えることによって硬化する。バリア１３の裏面側に貼付剤１８を設け、バリア１３を液晶表示ユニット１１に軽く載せた状態では、バリア１３を僅かに水平方向に相対的に移動させることができる。
【００１７】
位置決め保持具１００の開口１００Ａにバリア１３を嵌め込んだときには、ほぼ表示基準合せの状態にあるが、僅かに（上下左右に１ｍｍ以内程度の範囲）いずれかの方向に移動させる必要が生じる場合がある。そこで、図示しない表示制御基板を介して、画像表示面１１Ａに３Ｄ表示のための表示基準マーク（例えば、十字形マーク）を表示させておき、バリア１３の上面から表示変換スクリーン１７と表示基準マークを透視しながら左右、上下の各平面方向（画像表示面１１Ａと平行な向き）に微小な変位調整（相対的移動）を行い、表示基準マークを適正に立体視できる状態となるように確認する。
この表示基準合せの状態で、バリア１３の上面側から所定の紫外線を当てることによって貼付剤１８を硬化させることで、貼付剤１８により両部材１１，１３を固定保持する（図４（Ｂ））。
最後に、位置決め保持具１００を取り外すことにより、バリア１３と液晶表示ユニット１１とを整合させた３Ｄ表示タイプの液晶表示ユニットが製造される（図４（Ｃ）、図５）。
【００１８】
こうして、液晶表示ユニット１１に対してバリア１３が表示基準合せされて不動化維持された状態において、予めパチンコ機１に固定された後枠ケース１２の開口１２Ｂに嵌め込み、組付用突部１４とネジ孔１４Ａを整合させてビス（図示せず）を締付けて組付け結合する。
【００１９】
次に、バリア１３と液晶表示ユニット１１とを分離させる手順について、図６及び図７を参照しつつ説明する。
３Ｄ表示タイプの液晶表示ユニット１１において、ビスを取り外し、後枠ケース１２から分離した後、薄くかつ固い板材からなる剥離装置３０の先端をバリア１３と液晶表示ユニット１１を貼り付けている貼付剤１８に差し込みながら（矢印Ｘ方向）周囲から貼付状態を解除していく。こうして、バリア１３の全周に渡って、貼付剤１８の貼り付けを取り除くことで、バリア１３と液晶表示ユニット１１とを分離する。このようにして、バリア１３を液晶表示ユニット１１から手早く簡単に分離できる。この際、液晶表示ユニット１１、バリア１３のいずれにも剥離装置３０によって、キズ跡等を付けることはない。
【００２０】
このように本実施形態によれば、２Ｄ表示タイプの液晶表示ユニット１１を主体として３Ｄ用の表示変換スクリーン１７を持つバリア１３を重ね合せて構成される３Ｄ表示タイプの液晶表示ユニットを備えた液晶表示装置１０において、液晶表示ユニット１１に対して、バリア１３を手早く簡単かつ精密・精確に表示基準合せした条件で組付けて、表示誤差が少ない適正かつ良好な３Ｄ表示タイプの液晶表示ユニットを構成できた。
このように構成された液晶表示装置１０については、バリア１３を手作業にて手早く簡単に取外すことができるので、これにより損傷の無い２Ｄ表示タイプの液晶表示ユニット１１を純正、正規ディスプレイユニットとして有効に復旧再利用することができる。
【符号の説明】
【００２１】
１…パチンコ機（遊技機）
２…遊技盤
３…遊技領域
１０…液晶表示装置
１１…液晶表示ユニット
１１Ａ…画像表示面
１２…後枠ケース
１３…バリア（表示変換透視盤）
１７…表示変換スクリーン
１８…貼付剤
３０…剥離装置
【図１】
2016118673.tif 000003
【図２】
2016118673.tif 000004
【図３】
2016118673.tif 000005
【図４】
2016118673.tif 000006
【図５】
2016118673.tif 000007
【図６】
2016118673.tif 000008
【図７】
2016118673.tif 000009